(57)【要約】  ウェーダーは、本体部分及びブーティーを有する。ブーティーは、本体部分に取り付けられる。ブーティーは、つま先部、足首部及び足底部を有する。つま先部、足首部及び足底部は、互いに固着されてブーティーを形成する。つま先部は外面を有し、且つつま先部は、前記外面で隆起したネオプレン領域を含む。足首部は内面を有し、且つ足首部は、前記内面で隆起したネオプレン領域を含む。つま先部、足首部及び足底部の全ては、ネオプレン材料で構成される。足首部の内面で隆起したネオプレン領域は、水分を吸い上げて着用者の足から遠ざけるように構成されている。
2021529647.tif 000002
【特許請求の範囲】
【請求項１】
本体部分及びブーティーを有するウェーダーであって、
前記ブーティーは、前記本体部分に取り付けられており、
前記ブーティーは、つま先部、足首部及び足底部を含み、
前記つま先部、前記足首部及び前記足底部は、互いに固着されて前記ブーティーを形成し、
前記つま先部は外面を有し、且つ前記つま先部は、前記外面で隆起したネオプレン領域を含み、
前記足首部は内面を有し、且つ前記足首部は、前記内面で隆起したネオプレン領域を含み、
前記つま先部、前記足首部及び前記足底部の全ては、ネオプレン材料で構成されている
ことを特徴とするウェーダー。
【請求項２】
請求項１に記載のウェーダーにおいて、
前記足首部の内側で隆起したネオプレン領域は、前記ブーティーが着用されたときに着用者の足首の近傍に位置する足首セグメントを含み、
前記足首セグメントは、上縁を含み、
前記足首部の内側で隆起したネオプレン領域は、下端を有する複数の垂直方向セグメントをさらに含み、
前記垂直方向セグメントは、少なくともいくつかの前記垂直方向セグメントの下端と前記足首セグメントの上縁との間において、前記足首セグメントの上部領域の周りに流体流路を形成するように構成され、
前記垂直方向セグメントは、前記垂直方向セグメント間に垂直方向流体流路を形成するように構成される
ことを特徴とするウェーダー。
【請求項３】
請求項２に記載のウェーダーにおいて、
前記ブーティーは、前記足首部及び前記足底部によって形成される内周を伴う内側を有し、
前記垂直方向セグメントは、前記足底部によって形成される前記ブーティーの部分を除き、前記ブーティーの内側全体の周りに内周方向に延在する
ことを特徴とするウェーダー。
【請求項４】
請求項２に記載のウェーダーにおいて、
前記垂直方向セグメントは、前記着用者の中足の上にアーチを形成するように構成され、
前記垂直方向セグメントの下端は、前記着用者の足首の骨の上にアーチを形成するように構成されている 
ことを特徴とするウェーダー。
【請求項５】
請求項１に記載のウェーダーにおいて、
前記ブーティーは、内面を含み、
前記ブーティーの内面全体は、抗菌化学物質でコーティングされている
ことを特徴とするウェーダー。
【請求項６】
請求項１に記載のウェーダーにおいて、
前記つま先部の外側で隆起したネオプレン領域は、ネオプレン材料の単層を圧縮成形することによって製造され、
前記足首部の内側で隆起したネオプレンは、ネオプレン材料の単層を圧縮成形することによって製造される
ことを特徴とするウェーダー。
【請求項７】
請求項６に記載のウェーダーにおいて、
前記つま先部の圧縮後にＧＳ−７０１ＮタイプＣデュロメータテスタを用いて測定すると、前記つま先部の外側で隆起したネオプレン領域は、デュロメータ硬さ１１を有し、圧縮された前記ネオプレン材料の単層の部分は、デュロメータ硬さ２０を有し、
前記足首部の圧縮後にＧＳ−７０１ＮタイプＣデュロメータテスタを用いて測定すると、前記足首部の内側で隆起したネオプレン領域は、デュロメータ硬さ１１を有し、圧縮された前記ネオプレン材料の単層の部分は、デュロメータ硬さ２５を有する
ことを特徴とするウェーダー。
【請求項８】
請求項６に記載のウェーダーにおいて、
前記つま先部の圧縮後、前記つま先部の隆起したネオプレン領域は、６ミリメートルの厚さを有し、圧縮された前記ネオプレン材料の単層の部分は、４ミリメートルの厚さを有し、
前記足首部の圧縮後、前記足首部の隆起したネオプレン領域は、８ミリメートルの厚さを有し、圧縮された前記ネオプレン材料の単層の部分は、４ミリメートルの厚さを有する
ことを特徴とするウェーダー。
【請求項９】
請求項１に記載のウェーダーにおいて、
前記つま先部の外側で隆起したネオプレン領域は、
前記隆起したネオプレン領域の形態のネオプレン島部を、ネオプレン材料の下側層の上に積み重ねるステップと、
前記ネオプレン島部を前記ネオプレン材料の下側層に固着するステップと、
前記ネオプレン島部の上面及び前記ネオプレン材料の下側層にニットジャージー材料の層を固着するステップと
により製造され、
前記足首部の内側で隆起したネオプレン領域は、
前記隆起したネオプレン領域の形態のネオプレン島部を、ネオプレン材料の下側層の上に積み重ねるステップと、
前記ネオプレン島部を前記ネオプレン材料の下側層に固着するステップと、
前記ネオプレン島部の上面及び前記ネオプレン材料の下側層の上面にニットジャージー材料の層を固着するステップと
により製造される
ことを特徴とするウェーダー。
【請求項１０】
請求項９に記載のウェーダーにおいて、
ＧＳ−７０１ＮタイプＣデュロメータテスタを用いて測定すると、
前記つま先部の前記ネオプレン島部及び前記ネオプレン材料の下側層の両方は、デュロメータ硬さ１１を有し、
前記足首部の前記ネオプレン島部及び前記ネオプレン材料の下側層の両方は、デュロメータ硬さ１１を有し、
前記足底部は、デュロメータ硬さ１８を有する
ことを特徴とするウェーダー。
【請求項１１】
請求項９に記載のウェーダーにおいて、
前記つま先部の前記ネオプレン島部は、２ミリメートルの厚さを有し、前記つま先部の前記ネオプレン材料の下側層は、３ミリメートルの厚さを有し、
前記足首部の前記ネオプレン島部は、３ミリメートルの厚さを有し、前記足首部の前記ネオプレン材料の下側層は、３ミリメートルの厚さを有する
ことを特徴とするウェーダー。
【請求項１２】
請求項１に記載のウェーダーにおいて、
前記つま先部の前記外面で隆起したネオプレン領域は、前記つま先領域の前部を横切って横方向に延在する横方向部分と、前記横方向部分の中央部から後方に延在する２つの延長部と、後方に延在する前記２つの延長部のそれぞれに平行であり且つ前記２つの延長部の外側に位置する２つのウィングとを備え、
前記横方向部分、前記後方に延在する延長部及び前記ウィングは全て相互接続されている
ことを特徴とするウェーダー。
【発明の詳細な説明】
【技術分野】
【０００１】
［関連出願との相互参照］
本願は、2018年6月24日に出願された米国特許出願第16/016,633号に基づく優先権を主張する。同出願の内容は、参照により本開示に組み込まれる。
【０００２】
１．本発明が属する分野
本発明は、主に、釣り用ウェーダー（胴付き長靴）の分野に関し、より具体的には、ブーティー（足部）のつま先の外側及び足首の内側の領域に隆起したネオプレン製パターンを有して、空気の流れ、暖かさ、快適さ及びフィット感を改善するストッキングフット・ウェーダーに関する。
【背景技術】
【０００３】
２．関連技術の説明
少なくとも前世紀への変わり目以来、多くの発明者は、履物における熱及び水分の蓄積の問題を解決しようと試みてきた。これらの発明のいくつかを以下に記載する。以下でより詳細に説明するように、これらの発明のいずれも、釣り用ウェーダーに組み込まれるように特別に設計されておらず、本発明に特有の構造的特徴を有するものはない。
【０００４】
米国特許第757,424号（Vohl、1904年）は、空気流路を形成するための間隔リブ又はコードを有するオープンテクスチャの裏地を備えた靴を開示している。裏地は織物で構成されており、コード又はリブは裏地の外面に固定又は取付けされている。コード又はリブは、足底から裏地の上部まで延在し、足が靴に接しているときに裏地が靴に接触しないように、十分な距離を置いてサイズが決められている。さらに、裏地は、金属プレートが固着された堅い足底を備えている。
【０００５】
米国特許第3128566号（Burleson他、1961年）は、歩行中に作動する空気ポンプを踵に備えた通気性のブーツについて記載している。ブーツの踵部分に圧力がかかると、踵部分の中空の空洞が崩れ、それによって、空気が空洞から排出され、ブーツ内の様々な通路を通って移動し、ブーツ内の様々な場所で排出される。通常の歩行動作中に体重が踵から解放されると、断熱材の弾力性材料により、空洞が通常の位置に戻り、新鮮な空気が入口通路を通って空洞に引き込まれる。このサイクルは、各歩行ステップで繰り返される。
【０００６】
米国特許第5295312号（Blumberg 他、1994年）は、スポンジ状の連続気泡圧縮性インソールを備えた通気性のブーツ又は靴を提供している。インソールは、踵と甲の領域でインソールに空気が入ることができるように構成された２対の流路を有する。通気パイプは、ブーツ又は靴の開いた上部から下方に延在し、流路に接続されている。着用者が歩くと、インソールは圧縮され、インソールの連続気泡に閉じ込められた空気を排出する。インソールへの圧力が緩和されると、弾力性のあるインソールが膨張し、通気パイプを通して空気を引き戻す。
【０００７】
米国特許第5319807号（Brier、1994年）及び同第5353524号（Brier、1994年）の両方は、靴下の足首からつま先まで延在する多層の水分発散流路を靴下が有する、水分管理された靴下及び靴を開示している。靴下は、水分発散流路の反対側に沿って延在する空気循環流路をさらに含む。靴には、舌革とつま先のボックス領域に隣接して配置された水分発散性の内部裏地があり、足から靴を通して湿気を移動させる。靴と靴下は一緒に着用するように設計されている。
【０００８】
米国特許第5499459号（Tomaro、1996年）は、履物製品内に適合する第１及び第２の交換可能なブーティーを備えた履物製品を記載している。第１のブーティーは、水が浸透しない材料からなる防水層を有する。第２のブーティーは、吸湿性と通気性のある材料で作られた内側層を有する。両ブーティーは交換可能であり、履物製品内にブーティーを解放可能に固定するための取付け要素を有する。
【０００９】
米国特許第5708985号（Ogden、1998年）は、連続する糸で編まれた靴下であって、踵とつま先の間で縦方向に延在し、互いに間隔を置いた多数のリブを有するものを提供している。リブは、選択された数の追加の連続する糸を編むことによって形成され、この追加の連続する糸は、靴下の外側層から靴下の甲部分に向かって延在する。個々のリブは、横方向に連続しているか、又はステッチされた糸のセクション間の各リブに沿って形成された横方向の隙間を伴って不連続である。リブ間の縦方向の隙間と、個々のリブ内の横方向の隙間は、足の裏の表面の皮膚が少なくとも部分的にその中で伸びるように誘導するのに十分な幅であり、それによって靴下と足との摩擦係合を強化する。
【００１０】
米国特許第6286151号（Lambert、2001年）は、靴から汗を発散させるように設計された靴下を開示している。靴下には、靴下の足底から靴下の上部まで延在する統合された流路が組み込まれている。流路は、熱調節ネット生地で構成されている。米国特許出願公開第2006/0143801号（Lambert）は、靴下の足底に除湿流路を備えた靴下を開示している。靴下の内側の脚側及び/又は外側の脚側にはエアダクトが設けられ、エアダクトは、除湿流路に接続されている。
【００１１】
米国特許第7392601号（Vattes他、2008年）は、弾性化された煙突構造を備えたフットカバーを記載している。煙突構造は、熱又は湿気を、フットカバー内から、フットカバーのカラー領域を通して移動させるように構成された複数の煙突である。各煙突は、細長い支持部材の対と、細長い支持部材を接続する一連の分散ブレースで構成されている。ブレースは、着用中に足が動くと、静止位置から、伸ばされた位置又は圧縮された位置に移動可能である。
【００１２】
米国特許第8146266号（Vattes他、2012年）は、熱又は湿気を履物製品の内側から外側に移動させるための経路を規定する複数の煙突からなる煙突構造を備えた履物製品を提供する。各煙突には、一対の側壁、側壁の間に位置する後壁、及び後壁の反対側の開いた側面がある。煙突の開いた側面は、足を受け入れるための履物製品で形成された空洞に面し、着用中は足に隣接している。特殊なフットベッドを組み込んで、高温で湿った空気を足の下側から煙突に向かって排出することができる。米国特許第8359769号（Vattes他、2013年）は、様々な構成の煙突構造を含むいくつかの代替の実施形態を記載している。後者の煙突構造は、履物製品の舌皮及び／又は上部領域に沿って配置されている。
【００１３】
米国特許第8191284号（Cho、2012年）は、履物製品の足底が２つの圧縮チャンバを有する履物冷却システムを開示している。これらのチャンバは歩行中に圧縮されるため、２つのチャンバ間に圧力の不均衡が生じ、それによって空気が上側足底部の開口部を介して上側足底部に沿って配置される。圧縮チャンバと開口部の間に位置する流路は、下側足底から上側足底領域への空気の通過を容易にする。
【００１４】
米国特許第9226527号（Dahlgren他、2016年）及び米国特許出願公開第 2014/0157491号（Dahlgren）には、足から水分を逃がすように特別に設計された靴下が含まれている。靴下は、靴下の内部から上方及び外側への水分の移動を容易にするように配置されたリブ、流路及びパッドを含む。一実施形態において、靴下の管状部分は、横方向に配置され、縦方向に離間することで管状流路を形成する複数の管状リブを有する。これらのリブは追加の糸材料で形成されており、着用者の足に接触するように構成されている。
【発明の概要】
【発明が解決しようとする課題】
【００１５】
本発明は、疎水性及び親水性材料の組合せを利用して、水分の移動をさらに促進する。
【課題を解決するための手段】
【００１６】
本発明は、本体部分及びブーティーを含むウェーダーであって、ブーティーは本体部分に取り付けられ、ブーティーは、つま先部、足首部及び足底部を含み、つま先部、足首部及び足底部が互いに固着されてブーティーを形成し、つま先部は外面を有し、つま先部は前記外面で隆起したネオプレン領域を含み、足首部は内面を有し、足首部は前記内面で隆起したネオプレン領域を含み、つま先部、足首部及び足底部は全てネオプレン材料で構成されている。好ましい実施形態において、足首部の内側で隆起したネオプレン領域は、ブーティーが着用されたときに着用者の足首の近傍に位置する足首セグメントを含み、足首セグメントは、上縁を含み、足首部の内面で隆起したネオプレン領域は、下端を有する複数の垂直方向セグメントをさらに含み、垂直方向セグメントは、少なくともいくつかの垂直方向セグメントの下端と足首セグメントの上縁との間において、足首セグメントの上部領域の周りに流体流路を形成するように構成され、垂直方向セグメントは、垂直方向セグメント間に垂直方向流体流路を形成するように構成される。
【００１７】
好ましい実施形態において、ブーティーは、足首部と足底部によって形成される内周を伴う内側を有し、垂直方向セグメントは、足底部によって形成されるブーティーの部分を除き、ブーティーの内側全体の周りに内周方向に延在する。好ましい実施形態において、垂直方向セグメントは、着用者の中足の上にアーチを形成するように構成され、また、垂直方向セグメントの下端は、着用者の足首の骨の上にアーチを形成するように構成される。ブーティーは内面を含み、ブーティーの内面全体が抗菌化学物質でコーティングされていることが好ましい。
【００１８】
一実施形態において、つま先部の外側で隆起したネオプレン領域は、ネオプレン材料の単層を圧縮成形することによって製造され、足首部の内側で隆起したネオプレン領域は、ネオプレン材料の単層を圧縮成形することによって製造される。好ましくは、つま先部の圧縮後にＧＳ−７０１ＮタイプＣデュロメータテスタを用いて測定すると、つま先部の外側で隆起したネオプレン領域は、デュロメータ硬さ１１を有し、圧縮されたネオプレン材料の単層の部分は、デュロメータ硬さ２０を有し、足首部の圧縮後にＧＳ−７０１ＮタイプＣデュロメータテスタを用いて測定すると、足首部の内側で隆起したネオプレン領域は、デュロメータ硬さ１１を有し、圧縮されたネオプレン材料の単層の部分は、デュロメータ硬さ２５を有する。好ましくは、つま先部の圧縮後、つま先部の隆起したネオプレン領域は、６ミリメートルの厚さを有し、圧縮されたネオプレン材料の単層の部分は、４ミリメートルの厚さを有し、足首部の圧縮後、足首部の隆起したネオプレン領域は、８ミリメートルの厚さを有し、圧縮されたネオプレン材料の単層の部分は、４ミリメートルの厚さを有する。
【００１９】
別の実施形態において、つま先部の外側で隆起したネオプレン領域は、隆起したネオプレン領域の形態のネオプレン島部を、ネオプレン材料の下側層の上に積み重ねるステップと、ネオプレン島部をネオプレン材料の下側層に固着するステップと、ネオプレン島部の上面及びネオプレン材料の下側層にニットジャージー材料の層を固着するステップとにより製造され、足首部の内側で隆起したネオプレン領域は、隆起したネオプレン領域の形態のネオプレン島部を、ネオプレン材料の下側層の上に積み重ねるステップと、ネオプレン島部をネオプレン材料の下側層に固着するステップと、ネオプレン島部の上面及びネオプレン材料の下側層の上面にニットジャージー材料の層を固着するステップとにより製造される。好ましくは、ＧＳ−７０１ＮタイプＣデュロメータテスタを用いて測定すると、つま先部のネオプレン島部及びネオプレン材料の下側層の両方は、デュロメータ硬さ１１を有し、足首部のネオプレン島部及びネオプレン材料の下側層の両方は、デュロメータ硬さ１１を有し、足底部は、デュロメータ硬さ１８を有する。好ましくは、つま先部のネオプレン島部は、２ミリメートルの厚さを有し、つま先部のネオプレン材料の下側層は、３ミリメートルの厚さを有し、足首部のネオプレン島部は、３ミリメートルの厚さを有し、足首部のネオプレン材料の下側層は、３ミリメートルの厚さを有する。
【００２０】
好ましい実施形態において、つま先部の外面で隆起したネオプレン領域は、つま先領域の前部を横切って横方向に延在する横方向部分と、横方向部分の中央部から後方に延在する２つの延長部と、後方に延在する２つの延長部のそれぞれに平行であり且つ２つの延長部の外側に位置する２つのウィングとを備え、横方向部分、後方に延在する延長部及びウィングは全て相互接続されている。
【図面の簡単な説明】
【００２１】
【図１】本発明の斜視図である。
【図２Ａ】本発明に係るブーティーの斜視図である。
【図２Ｂ】図２Ａに示すブーティーの縦断面図である。
【図３Ａ】ブーティーを裏返しにした状態で示したブーティーの斜視図である。
【図３Ｂ】図３Ａに示すブーティーの縦断面図である。
【図４Ａ】圧縮成形前のつま先部のパターン図である。
【図４Ｂ】成形されたつま先部を形成するために使用されるプレスツールのパターン図である。
【図４Ｃ】圧縮成形後のつま先部のパターン図である。
【図５Ａ】圧縮成形前の足首部のパターン図である。
【図５Ｂ】成形された足首部を形成するために使用されるプレスツールのパターン図である。
【図５Ｃ】圧縮成形後の足首部のパターン図である。
【図６】足底部のパターン図である。
【図７】積層式製造法で使用されるつま先島部のパターン図である。
【図８】積層式製造法で使用される足首島部のパターン図である。
【図９】図９〜図１４では、本発明を製造する圧縮成形法が示されているところ、図９は、プレスツールがつま先部に接触する前におけるブーティーのつま先部を、プレスツールに関連して示す断面図である。
【図１０】圧縮ステップ中におけるブーティーのつま先部を、プレスツールに関連して示す断面図である。
【図１１】圧縮後にプレスツールを取り除いた状態におけるブーティーのつま先部を示す断面図である。
【図１２】プレスツールが足首部に接触する前におけるブーティーの足首部を、プレスツールに関連して示す断面図である。
【図１３】圧縮ステップ中におけるブーティーの足首部を、プレスツールに関連して示す断面図である。
【図１４】圧縮後にプレスツールを取り除いた状態におけるブーティーの足首部を示す断面図である。
【図１５】図１５〜図２６では、本発明を製造する積層式製造法が示されているところ、図１５は、組立て前におけるブーティーのつま先部の分解図である。
【図１６】ネオプレン島部及び下側ネオプレン層の上方に配置されたフラットヒートプレスの断面図である。
【図１７】フラットヒートプレスが両方のネオプレン層と接触している状態且つニット層が除かれた状態におけるブーティーのつま先部を示す断面図である。
【図１８】ネオプレン島部及び下側ネオプレン層の上方にプレスツール（メス金型）が配置された状態、且つ、プレスツール及び両方のネオプレン層の間にニットジャージー生地が配置された状態におけるブーティーのつま先部の断面図である。
【図１９】プレスツールがニットジャージー層に接触した状態におけるブーティーのつま先部を示す断面図である。
【図２０】最後の固着ステップ後にプレスツールを取り除いた状態におけるブーティーのつま先部を示す断面図である。
【図２１】組立て前におけるブーティーの足首部の分解図である。
【図２２】ネオプレン島部及び下側ネオプレン層の上方に配置されたフラットヒートプレスの断面図である。
【図２３】フラットヒートプレスが両方のネオプレン層と接触している状態且つ且つニット層が除かれた状態におけるブーティーの足首部を示す断面図である。
【図２４】ネオプレン島部及び下側ネオプレン層の上方にプレスツール（メス金型）配置された状態、且つ、プレスツール及び両方のネオプレン層の間にニットジャージー生地が配置された状態におけるブーティーの足首部の断面図である。
【図２５】プレスツールがニットジャージー層に接触した状態におけるブーティーの足首部を示す断面図である。
【図２６】最後の固着ステップ後にプレスツールを取り除いた状態におけるブーティーの足首部を示す断面図である。
【発明を実施するための形態】
【００２２】
「ストッキングフット」（stockingfoot）という用語は、ウェーダーのブーティー（bootie）（又は足部）が釣り用ブーツ（又はウェーディング（水中歩行用）ブーツ）の内側に収まる釣り用ウェーダーを指す。ストッキングフット・ウェーダーは、釣り場にハイキングする必要があるときにウェーディングブーツがハイキング用ブーツとしても機能するという汎用性をもたらし、様々なタイプのウェーディングブーツ（フェルトソール、ラバーソール、スタッズ等）と一緒に着用できる。ストッキングフット・ウェーダーの代わりに、フィッシングブーツがウェーダーに取り付けられているブーツフット・ウェーダーがある。ブーツフット・ウェーダーは、冷水フィッシングや投げ釣り、海釣りで好まれる。これらのフィッシングは、通常のフィッシング条件よりも、塩や砂がブーツに入る可能性が高くなり、また、ブーツフット・ウェーダーは、ストッキングフット・ウェーダーよりも暖かいと考えられている。一方、ストッキングフット・ウェーダーは、装着しやすく、荷造りしやすく、他の全ての釣りの状況で一般的に好まれていると考える人もいる。ラックアップ（lack-up）ブーツと組み合わせたストッキングフット・ウェーダーは、ブーツフット・ウェーダーよりも足首をサポートし、何マイルも歩くのに適している。
【００２３】
ストッキングフット・ウェーダーは、通気性のない素材であるネオプレン（クロロプレンゴム）、又はGORE-TEX（登録商標）製生地等の通気性のある素材で作ることができる。但し、通気性のあるウェーダーでも、ウェーダーのブーティー（又は足部）は、耐久性、伸縮性、クッション性及び断熱性のため、ネオプレンで作られることが通常である。ネオプレン製ブーティーは着用者の足を暖かく保ち、水の浸入を防ぐが、発汗による水分も閉じ込める。ブーティー内での過度の発汗は、足の貴重な熱を奪うことになる。本発明は、ブーティーのシャフトを介して水分をブーティーから吸い上げ、ウェーダーの通気性セクションに達する流路を提供することによって、上記問題を解決するように設計されている。また、本発明は、足の領域の上部のブーティーの縫い目及びクッション性に対する追加の保護を提供して摩耗を防ぐ。さらに、本発明は、より多くのネオプレンを特定領域に配置することにより、ユーザに快適さを追加するように設計されている。加えて、追加されたネオプレンは、足を暖かく保つためにより多くの断熱性をもたらす。本発明は、最適な性能を達成するために、様々なネオプレン層の相対的な厚さ及びデュロメータ硬さを検討している。
【００２４】
本発明は、足首レベルから始まり、ブーティーの上部に向かって上方に延在してブーティーに組み込まれる内部流路のセットと、ブーティーの前側部分の外側の上部（足の真上）に位置するネオプレンの隆起部分によって形成される流路の構成との両方を組み込む。内部流路は、ブーティーのシャフトに対して水分を鉛直上向きに移動するように特別に構成される。これにより、ブーティー内の空気の流れが大きくなる。これらの流路は、足の自然な動きと連動して、水分を多く含む空気をシャフトからより効果的に押し上げる。ウェーダーの通気性のある部分（ふくらはぎの真ん中で始まる）に入ると、この水分は放散され、ウェーダーから出る。
【００２５】
流路の第２セット（ブーティーの外側）は、ブーティーとウェーディングブーツの内側とを分離するように設計されているため、特に足の甲において、ブーティーの摩耗が少なくなる。この隆起したネオプレン領域は、（ブーティーの上に位置する）ウェーディングブーツの紐が締められているときに足の領域の上部でより大きな快適さをもたらす。
【００２６】
図１は、本発明の斜視図である。この図に示すように、本発明は、本体部分２及びブーティー３を含む釣り用ウェーダー１である。ブーティー３は、接着剤で本体部分２に取り付けられている。本発明の新規性は、ブーティー３の構造に関するものであり、本体部分２に関係するものではなく、ブーティー３を本体部分２に取り付ける方法に関するものでもない。
【００２７】
図２Ａは、本発明に係るブーティーの斜視図である。この図に示すように、ブーティー３は３つの部分を含む。第１部分はつま先部４、第２部分は足首部５、第３部分は足底部（ソール部）６である。これら３つの部分は、全てネオプレン材料で構成されており、全て同じ厚さであること（但し、隆起したネオプレン領域を除く。）が好ましい。それらは、それらの縁に沿って固着（又は接着）されて、図２Ａに示すようなブーティーの形状を形成する。次に、この目的に適したテープ７が、結合された全ての縁に沿って適用され、継ぎ目８を形成する。各図では、継ぎ目８が点線で示されている。ブーティーのどこにも縫い目はない。また、図２Ａは、つま先部４の外側で隆起したネオプレン領域９を示している。隆起したネオプレン領域９は、以下に説明するように、２つの方法のうちの１つで形成することができる。
【００２８】
図２Ｂは、図２Ａに示すブーティーの縦断面図である。この図に示すように、ブーティー３は、足首部５の内側に、隆起したネオプレン領域１０をさらに含む。この隆起したネオプレン領域１０も、以下に説明するように、２つの方法のうちの１つで形成することができる。隆起したネオプレン領域１０は、ブーティー３が着用されたときに着用者の足首の近傍に位置する足首セグメント１１を備える（ここでは、足首セグメント１１は楕円状として示されているが、本発明は、楕円状の足首セグメント１１に限定されない。）。隆起したネオプレン領域１０は、複数の垂直方向セグメント１２をさらに含む。垂直方向セグメント１２は、足首セグメント１１の上部領域の周り（少なくともいくつかの垂直方向セグメント１２の下端と、足首セグメント１１の上縁との間）の流体流路１３と、垂直方向セグメント１２の間の垂直方向流体流路１４とを形成するように構成されている。ウェーダーが着用されると、足領域からの水分が上向きに吸い上げられ、ウェーダー１の通気性のある本体部分２に入る。垂直方向流体流路１４によって分離された垂直方向セグメント１２の特定構成は、ブーティーの足首領域の周りにより大きな柔軟性（折り畳み性）をもたらす。また、足首領域の周りに、よりよいフィット感をもたらす。
【００２９】
図３Ａは、ブーティーを裏返しにした状態で示したブーティーの斜視図である。各ブーティーは、２つの足首セグメント1 1（着用者の足首の両側に１つずつ）を有する。垂直方向セグメント１２は、足底部６によって形成されるブーティーの部分を除いて、ブーティーの内側の周りの全周に亘って内周方向に延在する。垂直方向セグメント１２は、中足の上にアーチを形成するように構成されていることにも留意されたい（図５Ｃも参照）。垂直方向セグメント１２の下端は、着用者の足首の骨の上にアーチを形成するように構成されている。好ましい実施形態では、臭いを低減する抗菌化学薬品（MICROBAN（登録商標）スプレー殺菌剤等）で、ブーティーの内面全体がコーティングされている。
【００３０】
図３Ｂは、図３Ａに示すブーティーの縦断面図である。この図及び図２Ｂに示すように、継ぎ目８は、好ましくは、各継ぎ目８の内側及び外側の両方についてテープ７で留められている。足底部６は、ブーティーの足底と、足底の後端からブーティーの上部後縁まで上方に延在するブーティーのリアパネルとを形成する。つま先部４は、足首の前方の足の上部を取り囲んでいる（足底を除く）。足首部５は、足底部６によって形成されたリアパネルを除き、足首領域を円周方向に取り囲んでいる。
【００３１】
１つの構築方法において、つま先部４及び足首部５の隆起したネオプレン領域９、１０は、ネオプレンの単層を圧縮して、隆起したネオプレン領域９、１０を形成することによって作製される。この方法を図４Ａ〜図４Ｃに示す。
【００３２】
図４Ａは、圧縮成形前のつま先部のパターン図である。つま先部４は、ネオプレン材料の単層と、ネオプレン材料の単層の片側に固着されたナイロンジャージー生地の層と、ネオプレン材料の単層の反対側に固着されたパワーストレッチポリエステルジャージー生地の層とを有することが好ましい（以下の図９〜図１１を参照。）。つま先部４は、図４Ａに示すような形状であることが好ましい。
【００３３】
図４Ｂは、成形されたつま先部を形成するために使用されるプレスツールのパターン図である。プレスツール１５は、隆起したネオプレン領域９のパターンが切り取られた金属シートである。
【００３４】
図４Ｃは、圧縮成形後のつま先部のパターン図である。圧縮成形法を図９〜図１１に示す。
【００３５】
図５Ａは、圧縮成形前の足首部のパターン図である。足首部５は、ネオプレン材料の単層と、ネオプレン材料の単層の片側に固着されたナイロンジャージー生地の層と、ネオプレン材料の単層の反対側に固着されたパワーストレッチポリエステルジャージー生地の層とを有することが好ましい（以下の図１２〜図１４を参照。）。足首部５は、図５Ａに示すような形状であることが好ましい。
【００３６】
図５Ｂは、成形された足首部を形成するために使用されるプレスツールのパターン図である。プレスツール１６は、隆起したネオプレン領域１０のパターンが切り取られた金属シートである。
【００３７】
図５Ｃは、圧縮成形後の足首部のパターン図である。圧縮成形法を図１２〜図１４に示す。
【００３８】
図６は、足底部のパターン図である。この図は、ブーティーの足底を形成する足底部６の部分（図６の左側部分）と、ブーリーのリアパネルを形成する足底部６の部分（図６の右側部分）とを示している。リアパネルは、ブーティーを着用したときに足のアキレス腱の近傍に配置される。
【００３９】
図７は、積層式製造法（stack-up manufacturing method）で使用されるつま先島部のパターン図である。別の構築方法において、つま先部４の隆起したネオプレン領域９は、ネオプレン材料の下側層の上につま先島部１７を積み重ねることによって形成される。つま先島部（toe island）は、隆起したネオプレン領域９の形状にカットされたネオプレン材料の層である。好ましい実施形態において、隆起したネオプレン領域９（圧縮式製造法及び積層式製造法の両方を含む。）は、つま先領域の前部を横切って横方向に延在する横方向部分１７ａと、横方向部分１７ａの中央部から後方に延在する２つの延長部１７ｂと、後方に延在する２つの延長部１７ｂのそれぞれに平行であり且つ２つの延長部１７ｂの外側に位置する２つのウィング１７ｃとを備える。好ましい実施形態において、横方向部分１７ａ、後方に延在する延長部１７ｂ及びウィング１７ｃは全て相互接続されている。
【００４０】
図８は、積層式製造法で使用される足首島部のパターン図である。足首島部（ankle island）１８は、足首部５の内部において、隆起したネオプレン領域１０を形成する。隆起したネオプレン領域１０の特定の構成は、既に説明済である。
【００４１】
図９〜図１４は、本発明を製造する圧縮成形法を示している。この構築方法は、後続の図で説明する積層式製造法よりも実行が簡単で、コストも低くなる。
【００４２】
図９は、プレスツールがつま先部に接触する前におけるブーティーのつま先部を、プレスツールに関連して示す断面図である。上記のように、ネオプレン材料の層は、ネオプレン材料の下側（底部）に固着されたナイロンジャージー生地の層と、ネオプレン材料の上面に固着されたパワーストレッチポリエステルジャージー生地の層とを有する。ネオプレン層（ジャージー層及びポリエステル層を含む。）の厚さは、好ましくは６ミリメートル（ｍｍ）である。
【００４３】
図１０は、圧縮ステップ中におけるブーティーのつま先部を、プレスツールに関連して示す断面図である。このステップにおいて、隆起したネオプレン領域９を形成するネオプレン層の部分は圧縮されないが、ネオプレン層の残りの部分は、３３．６ポンド／平方インチ（ｐｓｉ）及び華氏３２５度の温度で２０分間、プレスツール１５を適用することによって４ｍｍの厚さまで圧縮される。
【００４４】
図１１は、圧縮後にプレスツールを取り除いた状態におけるブーティーのつま先部を示す断面図である。積層式製造法と異なり、圧縮式製造法では冷却ステップは存在しない。
【００４５】
図１２は、プレスツールが足首部に接触する前におけるブーティーの足首部を、プレスツールに関連して示す断面図である。つま先部と同様、ネオプレン材料の層は、ネオプレン材料の下側（底部）に固着されたナイロンジャージー生地の層と、ネオプレン材料の上面に固着されたパワーストレッチポリエステルジャージー生地の層とを有する。ネオプレン層（ジャージー層及びポリエステル層を含む。）の厚さは、好ましくは８ミリメートル（ｍｍ）である。
【００４６】
図１３は、圧縮ステップ中におけるブーティーの足首部を、プレスツールに関連して示す断面図である。このステップにおいて、隆起したネオプレン領域１０を形成するネオプレン層の部分は圧縮されないが、ネオプレン層の残りの部分は、３３．６ｐｓｉ及び華氏３２５度の温度で２０分間、プレスツール１６を適用することによって４ｍｍの厚さまで圧縮される。
【００４７】
図１４は、圧縮後にプレスツールを取り除いた状態におけるブーティーの足首部を示す断面図である。積層式製造法と異なり、圧縮式製造法では冷却ステップは存在しない。
【００４８】
好ましい実施形態において、つま先部を形成するネオプレン層は、圧縮前にＧＳ−７０１ＮタイプＣデュロメータテスタを使用してデュロメータ硬さ１１を有する。圧縮されていない、隆起したネオプレン領域９は、これと同じデュロメータ硬さを保持する。一方、つま先部の圧縮領域のデュロメータ硬さは、同じデュロメータ硬さテストを使用してデュロメータ硬さ２０である。好ましい実施形態において、足首部を形成するネオプレン層は、圧縮前にＧＳ−７０１ＮタイプＣデュロメータテスタを使用してデュロメータ硬さ１１を有する。圧縮されていない、隆起したネオプレン領域１０は、これと同じデュロメータ硬さを保持する。一方、足首部の圧縮領域のデュロメータ硬さは、同じデュロメータ硬さテストを使用してデュロメータ硬さ２５である。
【００４９】
図１５〜図２６は、本発明を製造する積層式製造法を示している。この方法では、島部１７、１８は、好ましくは、最初にネオプレンの平らなシートに（上側のニットジャージー生地と共に）固着され、次に積層体全体がダイカットされてつま先部４及び足首部５を形成する。
【００５０】
図１５は、組立て前におけるブーティーのつま先部の分解図である。この製造法は、２層のネオプレン材料から始まる。上述のように、ネオプレン材料の各層は、ネオプレン材料の下側（底部）に固着されたナイロンジャージー生地の層と、ネオプレン材料の上面に固着されたナイロンジャージー生地の層とを有する。好ましい実施形態において、上側のネオプレン層の厚さは２ｍｍであり、底側のネオプレン層の厚さは３ｍｍである（各ケースにおいて生地の層を含む。）。両方のネオプレン層の上にあるのは、ニットジャージー生地１９（７８％ナイロンと２２％スパンデックス）の層である。ニットジャージー生地１９の目的は、下側ネオプレン層の上部においてつま先島部１７をさらに固定すると共に、より完成した外観を提示することである。完全に組み立てられると、つま先島部１７は、下側ネオプレン層の上に直接配置され、ニットジャージー生地１９は、つま先島部１７及び下側ネオプレン層の両方の上に配置される。
【００５１】
図１６は、ネオプレン島部及び下側ネオプレン層の上方に配置されたフラットヒートプレスの断面図である。図１７は、フラットヒートプレスが両方のネオプレン層と接触している状態且つニット層が除かれた状態におけるブーティーのつま先部を示す断面図である。このステップにおいて、つま先島部１７は、１０ｐｓｉ及び華氏２６０度で６０秒間、フラットヒートプレス２０ａを適用することによって下側ネオプレン層に接合される。フラットヒートプレス２０ａは、２つのネオプレン層の間に塗布された接着剤を活性化する。どちらのネオプレン層もそれほど圧縮しない。
【００５２】
図１８は、ネオプレン島部及び下側ネオプレン層の上方に配置されたプレスツール（メス金型）配置された状態、且つ、プレスツール及び両方のネオプレン層の間にニットジャージー生地が配置された状態におけるブーティーのつま先部の断面図である。図１９は、プレスツールがニットジャージー層に接触した状態におけるブーティーのつま先部を示す断面図である。このステップにおいて、ニットジャージー層は、２つのネオプレン層（その時点で互いに結合されている）の上側に配置され、メス金型の形態のプレスツール２０ｂが、１０ｐｓｉ及び華氏２６０度で６０秒間、適用される。プレスツール２０ｂは、ニットジャージー層と、２つの積層したネオプレン層の上面との間に塗布された接着剤を活性化する。このステップもその前のステップも、どちらのネオプレン層のデュロメータ硬さにも影響を与えない。
【００５３】
図２０は、最後の固着ステップ後にプレスツールを取り除いた状態におけるブーティーのつま先部を示す断面図である。このステップの後、同じプレスツール２０ｂを周囲温度まで冷却し、次いで、積層したネオプレン層に１０ｐｓｉで３０秒間適用して接着剤を安定させる。
【００５４】
積層式製造法を適用して、足首部は、足首島部のネオプレン層が２ｍｍの厚さではなく３ｍｍの厚さであることが好ましいことを除いて、つま先部と同じ方法で作られる。それ以外は、図２１〜図２６に示すように、製造法は同じである。
【００５５】
好ましい実施形態において、つま先部及び足首部を形成する２つのネオプレン層（すなわち、ネオプレン島部及びネオプレン材料の下側層の両方）それぞれは、ＧＳ−７０１ＮタイプＣデュロメータ硬さデスタを使用して、デュロメータ硬さ１１を有する。足底部を形成するネオプレン層は、同じデュロメータ硬さテストを使用してデュロメータ硬さ１８を有する。従って、圧縮式製造法は、積層式製造法よりも高いデュロメータ硬さを有するつま先部及び足首部の隆起していない領域をもたらす。
【００５６】
本発明の好ましい実施形態を示して説明してきたが、当業者であれば、本発明から逸脱することなく、より広い態様で、多くの変更及び修正を行うことができることが明らかであろう。従って、添付の特許請求の範囲は、本発明の真の精神及び範囲内にあるような全てのそのような変更及び修正をカバーすることを意図している。
【符号の説明】
【００５７】
１  ウェーダー
２  本体部分
３  ブーティー
４  つま先部
５  足首部
６  足底部
７  テープ
８  継ぎ目
９  （つま先部の外側で）隆起したネオプレン領域
１０  （足首部の内側で）隆起したネオプレン領域
１１  足首セグメント
１２  垂直方向セグメント
１３  （足首セグメント及び垂直方向セグメントの間における）流体流路
１４  （垂直方向の）流体流路
１５  プレスツール（つま先部用）
１６  プレスツール（足首部用）
１７  つま先島部 
１８  足首島部
１９  ジャージー材料
２０ａ  フラットヒートプレス
２０ｂ  プレスツール（メス金型）
【図１】
2021529647.tif 000003
【図２Ａ】
2021529647.tif 000004
【図２Ｂ】
2021529647.tif 000005
【図３Ａ】
2021529647.tif 000006
【図３Ｂ】
2021529647.tif 000007
【図４Ａ】
2021529647.tif 000008
【図４Ｂ】
2021529647.tif 000009
【図４Ｃ】
2021529647.tif 000010
【図５Ａ】
2021529647.tif 000011
【図５Ｂ】
2021529647.tif 000012
【図５Ｃ】
2021529647.tif 000013
【図６】
2021529647.tif 000014
【図７】
2021529647.tif 000015
【図８】
2021529647.tif 000016
【図９】
2021529647.tif 000017
【図１０】
2021529647.tif 000018
【図１１】
2021529647.tif 000019
【図１２】
2021529647.tif 000020
【図１３】
2021529647.tif 000021
【図１４】
2021529647.tif 000022
【図１５】
2021529647.tif 000023
【図１６】
2021529647.tif 000024
【図１７】
2021529647.tif 000025
【図１８】
2021529647.tif 000026
【図１９】
2021529647.tif 000027
【図２０】
2021529647.tif 000028
【図２１】
2021529647.tif 000029
【図２２】
2021529647.tif 000030
【図２３】
2021529647.tif 000031
【図２４】
2021529647.tif 000032
【図２５】
2021529647.tif 000033
【図２６】
2021529647.tif 000034
【国際調査報告】
2021529647.tif 000035
2021529647.tif 000036